(57)【要約】【課題】指針とアンテナとの位置関係による受信状態の悪化を回避し、時刻情報を含む通信信号を安定して受信し、正確な時刻を表示する電波時計を提供する。【解決手段】電波時計１は、時刻情報を含む通信信号が入力されるアンテナ部１２と、入力された通信信号から時刻情報を取得する受信処理部３０と、アンテナ部１２と受信処理部３０を接続し、アンテナ部１２と受信処理部３０のインピーダンスの差異を補正することで、アンテナ部１２と受信処理部３０を整合する整合部１０と、導電性を有する複数の指針が周回することにより、取得した時刻情報に基づく時刻を表示するムーブメント８０と、複数の指針の少なくとも１つとアンテナ部１２との相対位置を検出する指針位置検出部７０と、検出した相対位置に応じて変動するアンテナ部１２のインピーダンスにより生じる差異の補正を整合部１０に指示するインダクタ指示部６５と、を備える。【選択図】図１
2009121863.tif 000002
【特許請求の範囲】
【請求項１】
時刻情報を含む通信信号が入力されるアンテナ部と、
前記入力された通信信号から前記時刻情報を取得する受信処理部と、
前記アンテナ部と前記受信処理部のインピーダンスの差異を補正することで、前記アンテナ部と前記受信処理部を整合して接続する整合部と、
導電性を有する複数の指針が周回することにより、前記取得した時刻情報に基づく時刻を表示する表示部と、
前記複数の指針の少なくとも１つと前記アンテナ部との相対位置を検出する検出部と、
前記検出した相対位置に応じて前記アンテナ部のインピーダンスが変動することにより生じる前記アンテナ部と前記受信処理部のインピーダンスの差異の補正を前記整合部に指示する指示部と、を備えることを特徴とする電波時計。
【請求項２】
請求項１に記載の電波時計において、
前記指示部は、前記整合部の誘導係数を変更することにより、前記アンテナ部のインピーダンスを前記受信処理部のインピーダンスに合わせることを特徴とする電波時計。
【請求項３】
請求項１乃至２のいずれかに記載の電波時計において、
前記検出部は、前記周回する指針の位置を検出することにより、前記アンテナ部との相対位置を検出することを特徴とする電波時計。
【請求項４】
請求項１乃至３のいずれか１項に記載の電波時計において、
前記指針の少なくとも１つが周回することにより描かれる円板像は、前記表示部を視認する方向から見て、前記アンテナ部の少なくとも一部と重畳することを特徴とする電波時計。
【請求項５】
請求項１乃至４のいずれか１項に記載の電波時計において、
前記通信信号は、基地局からＣＤＭＡ通信方式で送信されることを特徴とする電波時計。
【請求項６】
請求項５に記載の電波時計において、
前記受信処理部は、
前記通信信号を受信し、前記受信した通信信号と局発信号とを混合することにより、中間周波数信号を取得するＲＦ処理部と、
前記取得した中間周波数信号からパイロットチャンネル信号を取得し、前記取得したパイロットチャンネル信号で前記基地局と同期を取ることにより、前記中間周波数信号からシンクチャンネル信号を取得し、前記取得したシンクチャンネル信号から前記時刻情報を抽出するベースバンド処理部と、を備えることを特徴とする電波時計。
【請求項７】
時刻情報を含む通信信号をアンテナ部で受信し、前記アンテナ部と接続された受信処理部において前記受信した通信信号から前記時刻情報を取得し、前記取得した時刻情報に基づき、導電性を有する複数の指針が周回することにより時刻を表示する電波時計の受信方法であって、
複数の指針の少なくとも１つと前記アンテナ部との相対位置を検出し、前記検出した相対位置に応じて変動する前記アンテナ部のインピーダンスにより生じる前記アンテナ部と受信処理部とのインピーダンスの差異を補正することにより、前記アンテナ部と前記受信処理部のインピーダンスを整合することを特徴とする電波時計の受信方法。
【発明の詳細な説明】
【技術分野】
【０００１】
本発明は、時刻情報を含む通信信号を受信して表示する電波時計および電波時計の受信方法に関する。
【背景技術】
【０００２】
電波により送信される時刻信号を受信して、正確な時刻情報を表示する電波時計は、地上基地局から送信される長波帯域の標準電波や、ＧＰＳ（Ｇｌｏｂａｌ  Ｐｏｓｉｔｉｏｎｉｎｇ  Ｓｙｓｔｅｍ）衛星から送信される極超短波帯域の時刻信号を受信する方法に加え、近年では、下記特許文献１に記載されているように、移動通信を目的として、ＣＤＭＡ（Ｃｏｄｅ  Ｄｉｖｉｓｉｏｎ  Ｍｕｌｔｉｐｌｅ  Ａｃｃｅｓｓ）変調されて送信される極超短波帯域の電波に含まれる時刻信号を受信して、自身が計時した時刻を修正し、正確な時刻を表示する電波時計が提案されている。このような極超短波帯域の電波は、種々の中継局から遍く中継されるため、長波帯域の標準電波やＧＰＳ衛星からの電波と比較して、建物の中や地下のような様々な移動先においても、良好に受信できることが知られている。このような電波時計をアナログ式電波時計に適用する場合、極超短波帯域の電波を受信するためのアンテナは、アナログ式電波時計の外装ケース等により電波が遮蔽される影響を排除すべく、文字板の裏側に配置される。このようなアナログ式電波時計では、時計の指針とアンテナとの位置関係により受信状態が悪化するため、下記特許文献２に示すように、指針がアンテナの上に来た場合に受信動作を中断するアナログ式電波時計が提案されている。
【０００３】
【特許文献１】特開２０００−３２１３８３号公報
【特許文献２】特開２００１−１６６０７１号公報
【発明の開示】
【発明が解決しようとする課題】
【０００４】
しかしながら、前記したアナログ式電波時計では、指針とアンテナの位置関係に応じて受信動作が中断されるため、時刻情報を含む電波の受信が時刻により制限され、表示する時刻によっては、各指針がアンテナの上に集まるため、受信動作が連続して中断され、正確な時刻が表示されない状態が続くという課題があった。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる電波時計は、時刻情報を含む通信信号が入力されるアンテナ部と、前記入力された通信信号から前記時刻情報を取得する受信処理部と、前記アンテナ部と前記受信処理部のインピーダンスの差異を補正することで、前記アンテナ部と前記受信処理部を整合して接続する整合部と、導電性を有する複数の指針が周回することにより、前記取得した時刻情報に基づく時刻を表示する表示部と、前記複数の指針の少なくとも１つと前記アンテナ部との相対位置を検出する検出部と、前記検出した相対位置に応じて前記アンテナ部のインピーダンスが変動することにより生じる前記アンテナ部と前記受信処理部のインピーダンスの差異の補正を前記整合部に指示する指示部と、を備えることを特徴とする。
【０００７】
このような構成によれば、周回する指針とアンテナ部との相対位置を検出し、検出した相対位置に応じて変動するアンテナ部のインピーダンスにより生じるアンテナ部と受信処理部のインピーダンスの差異が補正され、アンテナ部と受信処理部とが整合されるため、通信信号の受信感度は安定した状態が維持される。従って、アンテナ部に入力される通信信号を安定して受信できるため、必要に応じて通信信号から時刻情報を取得して正確な時刻を表示できる。
【０００８】
［適用例２］
上記適用例にかかる電波時計において、前記指示部は、前記整合部の誘導係数を変更することにより、前記アンテナ部のインピーダンスを前記受信処理部のインピーダンスに合わせても良い。
【０００９】
［適用例３］
上記適用例にかかる電波時計において、前記検出部は、前記周回する指針の位置を検出することにより、前記アンテナ部との相対位置を検出しても良い。
【００１０】
［適用例４］
上記適用例にかかる電波時計において、前記指針の少なくとも１つが周回することにより描かれる円板像は、前記表示部を視認する方向から見て、前記アンテナ部の少なくとも一部と重畳しても良い。
【００１１】
［適用例５］
上記適用例にかかる電波時計において、前記通信信号は、基地局からＣＤＭＡ通信方式で送信されても良い。
【００１２】
［適用例６］
上記適用例にかかる電波時計において、前記受信処理部は、前記通信信号を受信し、前記受信した通信信号と局発信号とを混合することにより、中間周波数信号を取得するＲＦ処理部と、前記取得した中間周波数信号からパイロットチャンネル信号を取得し、前記取得したパイロットチャンネル信号で前記基地局と同期を取ることにより、前記中間周波数信号からシンクチャンネル信号を取得し、前記取得したシンクチャンネル信号から前記時刻情報を抽出するベースバンド処理部と、を備えても良い。
【００１３】
［適用例７］
本適用例にかかる電波時計の受信方法は、時刻情報を含む通信信号をアンテナ部で受信し、前記アンテナ部と接続された受信処理部において前記受信した通信信号から前記時刻情報を取得し、前記取得した時刻情報に基づき、導電性を有する複数の指針が周回することにより時刻を表示する電波時計の受信方法であって、複数の指針の少なくとも１つと前記アンテナ部との相対位置を検出し、前記検出した相対位置に応じて変動する前記アンテナ部のインピーダンスにより生じる前記アンテナ部と受信処理部とのインピーダンスの差異を補正することにより、前記アンテナ部と前記受信処理部のインピーダンスを整合することを特徴とする。
【００１４】
このような方法によれば、周回する指針とアンテナ部との相対位置を検出し、検出した相対位置に応じて変動するアンテナ部のインピーダンスにより生じるアンテナ部と受信処理部のインピーダンスの差異が補正され、アンテナ部と受信処理部とが整合されるため、通信信号の受信感度は安定した状態が維持される。従って、アンテナ部に入力される通信信号を安定して受信できるため、必要に応じて通信信号から時刻情報を取得して正確な時刻を表示できる。
【発明を実施するための最良の形態】
【００１５】
以下、電波時計について図面を参照して説明する。
【００１６】
（実施形態１）
図１は、本発明の実施形態１に係る電波時計１の機能構成を示すブロック図である。この電波時計１は、図２の電波時計１の外観図に示すように、所謂、アナログ式クオーツ腕時計の様態であり、水晶振動子の周波数に基づいて時刻を算出して現在の時刻を指針により表示する機能に加え、正確な時刻情報を含む電波を受信して、表示している時刻を修正する機能を備える。この電波時計１は、整合部１０と、受信処理部３０と、制御部６０と、指針位置検出部７０と、ムーブメント８０とを備える。
【００１７】
整合部１０は、アンテナ部１２と受信処理部３０のインピーダンスの差異を補正することで、アンテナ部１２と受信処理部３０を整合して接続する。本実施形態１では、アンテナ部１２は、誘電体を使用したチップアンテナ１４（図２）を備える。また、整合部１０は、巻線などにおいて電流の変化が誘導起電力となって現れる誘導係数（インダクタ）を変更するインダクタ可変部２０を備え、アンテナ部１２の出力インピーダンスを変更する。インダクタ可変部２０は、コイル（２２Ａ〜２２Ｄ）が直列に接続されて構成される。これらのコイル（２２Ａ〜２２Ｄ）は、それぞれ所定のインダクタを有し、コイル２２Ｂ，２２Ｃ，２２Ｄは、それぞれ短絡可能なスイッチ２４，２６，２８を備える。これらのスイッチ２４，２６，２８は、インダクタ指示部６５からの指示に応じてそれぞれ断続され、断続されるスイッチに応じてインダクタ可変部２０のインダクタが変更されることにより、アンテナ部１２の出力インピーダンスが変更される。
尚、本実施形態１では、ムーブメント８０の指針の何れもがアンテナ部１２から離れた位置にある場合（初期状態）、スイッチ２４，２６，２８はすべて非接続状態になる。この場合、コイル（２２Ａ〜２２Ｄ）のインダクタの総和に対応するインピーダンスを整合部１０が有することにより、アンテナ部１２の出力インピーダンスと受信処理部３０への入力インピーダンスとが等しくなり、整合状態が保たれるように構成されている。尚、整合部１０でのインピーダンス変更による整合方法は、インダクタの変更に限定されるものでは無く、静電容量（キャパシタ）を変更することにより整合する方法も採用できる。
【００１８】
受信処理部３０は、時刻情報を含む電波信号を受信し、受信した電波信号から時刻情報を取得する。この受信処理部３０は、ＲＦ処理部４０とベースバンド処理部５０を備える。ＲＦ処理部４０は、受信した電波に含まれる通信信号と局発信号とを混合することによりＩＦ信号を取得する機能を有し、ローノイズアンプ４２と、周波数変換部４４と、局部発振信号生成部４５と、ＩＦバンドパスフィルタ４６と、ＩＦアンプ４８とを備える。
ＲＦ処理部４０に入力した通信信号は、ローノイズアンプ４２で増幅されて周波数変換部４４に送られ、局部発振信号生成部４５において生成された局部発振信号と混合される。この結果、通信信号に含まれる時刻信号は、局部発振信号の周波数（局発周波数）との差分を周波数とするＩＦ信号に変換される。更に、ＩＦ信号は、ＩＦバンドパスフィルタ４６でフィルタリングされ、ＩＦアンプ４８で増幅された後、ベースバンド処理部５０に出力される。
【００１９】
また、ベースバンド処理部５０は、ＲＦ処理部４０から出力されたＩＦ信号をデジタル信号に変換すると共に、デジタル信号を復調して時刻情報を抽出する機能を有し、ベースバンド復調部５２と、時刻情報抽出部５４とを備える。
ベースバンド復調部５２は、ＩＦ信号をＡ／Ｄ変換してデジタル信号に変換した後、位相が直交する２つのデジタル信号（Ｉ信号、Ｑ信号）に対してＣＤＭＡの復調処理を施し、時刻情報を含むデータを復号する。時刻情報抽出部５４は、復号されたデータからパイロットチャンネル信号を取得して基地局と同期を取った後、時刻情報やシステム設定情報等を通知するために用いられるシンクチャンネル信号を復調し、復調したシンクチャンネル信号から時刻に関する情報を抽出する。抽出された時刻に関する情報は、ムーブメント８０に送られる。
尚、ＣＤＭＡ方式により送信された時刻情報を含む通信信号を受信し、時刻情報を取得する処理の詳細は、本発明の要旨ではないため、省略する（かかる方式については、例えば、特開２０００−３２１３８３号公報を参照）。
【００２０】
ムーブメント８０は、時針駆動部８２、分針駆動部８４および秒針駆動部８６を備え、図２に示すように、それぞれ金属製の時針８３、分針８５および秒針８７を駆動することにより、現在の時刻をアナログ方式で表示する表示部である。このムーブメント８０は、図示を略した水晶振動子を発振させることで得られる所定の周波数を分周することによりパルスを取得し、このパルスに合わせてステップモータと歯車により各指針を駆動する。また、所定の間隔で時刻情報抽出部５４から送られる時刻に関する情報に基づいて、現在表示している時刻を修正する。
また、チップアンテナ１４は、ムーブメント８０内において電波を良好に受信できる位置に配置されている。本実施形態１では、チップアンテナ１４は、ムーブメント８０が電波時計１に実装された図２に示すように、文字板８８の「１２」の裏面近傍に配置される。このように、チップアンテナ１４は、ムーブメント８０を正面から視認する方向から見て、それぞれの指針が周回することにより描かれる円周像がチップアンテナ１４の少なくとも一部と重畳する位置に配置される。そして、時針８３、分針８５および秒針８７の何れかが周動して文字板８８の「１２」の近傍に移動した場合、「１２」に接近した指針とチップアンテナ１４との間でキャパシタが変化するため、チップアンテナ１４と受信処理部３０との整合関係が変化し、整合状態から非整合状態に遷移する。
【００２１】
指針位置検出部７０は、時針検出部７２、分針検出部７４および秒針検出部７６を備え、それぞれムーブメント８０の時針８３、分針８５および秒針８７の各位置を検出し、それぞれの指針とチップアンテナ１４との相対位置の情報を取得する。本実施形態１では、上述したように、文字板８８の「１２」の下部にチップアンテナ１４が配置されているため、文字板８８の「１２」の近傍にフォトセンサのような検出素子を設置しても良く、また、ステップモータに送るパルスから各指針位置を検出しても良い。指針位置検出部７０で検出された各指針とチップアンテナ１４との相対位置の情報は、インダクタ指示部６５に送られる。
制御部６０は、インダクタ指示部６５を備え、電波時計１の各機能部を制御する。インダクタ指示部６５は、指針位置検出部７０から送られる各指針とチップアンテナ１４との相対位置の情報に基づき、チップアンテナ１４と受信処理部３０とのインピーダンスの差異を算出する。この差異は、各指針とチップアンテナ１４との相対位置に応じてチップアンテナ１４のインピーダンスが変動することにより生じるものである。続いて、インダクタ指示部６５は、この差異を補正するべく、インダクタ可変部２０の各スイッチ２４，２６，２８の断続を指示する。
【００２２】
例えば、時針検出部７２が時針８３とチップアンテナ１４との接近を検出した場合、インダクタ指示部６５はスイッチ２４を非接続状態から接続状態に遷移させる。この結果、コイル２２Ｂは短絡されるため、インダクタ可変部２０のインダクタは、コイル２２Ｂのインダクタ分のみ減少する。ここで、コイル２２Ｂのインダクタは、時針８３とチップアンテナ１４との接近により生じるキャパシタの増加分を打ち消すように設定されているため、変動したチップアンテナ１４のインピーダンスは復元され、チップアンテナ１４と受信処理部３０は整合状態に戻る。分針８５および秒針８７の場合も同様であり、分針８５および秒針８７とチップアンテナ１４との接近に応じて、コイル２２Ｃおよびコイル２２Ｄのそれぞれが短絡することにより、チップアンテナ１４のインピーダンスの変動は復元される。この結果、いずれの指針がチップアンテナ１４に接近した場合でも、チップアンテナ１４と受信処理部３０との整合状態が略保たれる。
【００２３】
尚、本実施形態１では、時針８３、分針８５および秒針８７と、チップアンテナ１４との相対位置の変動を検出した。しかしながら、時針８３は短いことから、チップアンテナ１４上まで届かず、また、秒針８７は形状が細く面積が小さいことから、チップアンテナ１４のインピーダンス変動が少ないため、時針８３と秒針８７の検出は行わず、分針８５とチップアンテナ１４との相対位置の変動のみを検出しても良い。この場合、図１の構成の中から、時針検出部７２と秒針検出部７６が不要になると共に、時針８３と秒針８７に対応したスイッチ２４およびスイッチ２８も不要になる。
【００２４】
上記したこれらの各機能部は、図示は略すが、電気回路で実現させても良く、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）およびフラッシュメモリ等で構成され、これらのハードウェアとソフトウェアとを協働させて実現しても良い。また、これらの機能部の少なくとも一部は、集積回路上に実装された様態であっても良い。
【００２５】
次に、図３は、電波時計１による処理の流れを説明するフローチャートである。この処理は、所定の時間毎もしくはユーザからの指示に応じて実行されるように設定されている。最初に、この処理が実行されると、制御部６０は、指針位置検出部７０が取得した、チップアンテナ１４と指針の何れかとの相対位置情報に基づいて指針の位置を検出し、何れかの指針がチップアンテナ１４上にあるか否かを判定する（ステップＳ１００）。ここで、指針位置検出部７０が指針の何れも検出せず、チップアンテナ１４上に無いと判定した場合（ステップＳ１００でＮｏ）、制御部６０は、インダクタ可変部２０に対して、各スイッチ２４，２６，２８を初期状態に遷移させ（ステップＳ１０６）、すべてのスイッチ２４，２６，２８が非接続状態になり、ステップＳ１０８に進む。
他方で、指針位置検出部７０が指針の何れかを検出し、チップアンテナ１４上に指針の何れかがあると判定した場合（ステップＳ１００でＹｅｓ）、インダクタ指示部６５は、検出した指針に応じて、スイッチ２４，２６，２８の中から操作するスイッチを決定する（ステップＳ１０２）。続いて、インダクタ指示部６５は、決定したスイッチを操作して、インダクタ可変部２０のインダクタを変更し（ステップＳ１０４）、指針の接近により変動したチップアンテナ１４のインピーダンスを復元する。この結果、チップアンテナ１４と受信処理部３０との整合状態は維持される。
【００２６】
続いて、制御部６０は、チップアンテナ１４との整合状態が維持され、受信感度が安定している受信処理部３０に対して、受信した電波信号から時刻情報の取得を指示する（ステップＳ１０８）。次に、制御部６０は、受信処理部３０が取得した時刻情報と、ムーブメント８０が示す現在の時刻情報とを比較して、表示時刻の修正が必要か、否かを判定する（ステップＳ１１０）。ここで、表示時刻の修正が必要であると判定された場合（ステップＳ１１０でＹｅｓ）、制御部６０は、受信処理部３０が取得した時刻情報に基づいて、ムーブメント８０の表示時刻を修正し（ステップＳ１１２）、一連の処理を終了する。そして、次の受信機会まで待機する。他方で、表示時刻の修正が必要であると判定されない場合（ステップＳ１１０でＮｏ）、一連の処理を終了し、次の受信機会まで待機する。
【００２７】
以上述べた実施形態１によれば、時針８３、分針８５および秒針８７が周動してチップアンテナ１４との位置関係が変化することにより生じる、チップアンテナ１４のインピーダンス変動を抑えることができるため、チップアンテナ１４と受信処理部３０との最適な整合状態が維持できることから、指針の位置に応じて受信感度が変動しない電波時計１を実現できる。
【００２８】
（実施形態２）
次に、本発明の実施形態２について、図４および図５を参照して説明する。尚、以下の説明では、既に説明した部分と同じ部分については、同一符号を付してその説明を省略する。実施形態１では、時針８３、分針８５および秒針８７とチップアンテナ１４との位置関係を、チップアンテナ１４上の有無により２段階で検出したが、本実施形態２では、分針８５のみに限定すると共に、分針８５とチップアンテナ１４との位置関係をチップアンテナ１４上の位置により分割して、３段階で検出する。
図４（ａ）は、文字板８８を除外した電波時計１の外観図であり、図４（ｂ）は、電波時計１の機能構成の概略を示すブロック図である。図４（ａ）に示すように、第１分針検出部７４Ａおよび第２分針検出部７４Ｂを、チップアンテナ１４の下部に設ける。第１分針検出部７４Ａは、文字板８８上で「１０．５」（「１０」と「１１」の中間位置）〜「１１」および「１」〜「１．５」（「１」と「２」の中間位置）を示す分針８５を検出する。また、第２分針検出部７４Ｂは、文字板８８上で「１０．５」〜「１．５」を示す分針８５を検出する。ここで、チップアンテナ１４と分針８５とが交差する面積は、分針８５が「１０．５」〜「１１」および「１」〜「１．５」を示す場合の方が、「１１」〜「１」を示す場合よりも大きい。したがって、キャパシタの変動は、分針８５が「１０．５」〜「１１」および「１」〜「１．５」を示す場合の方が大きくなる。
【００２９】
また、インダクタ可変部２０は、図４（ｂ）に示すように、分針８５に対応するコイル２２Ｃが２つに分離され、一方のコイル２２２を短絡するスイッチ２２６と、他方のコイル２２４を短絡するスイッチ２２８を備える。一方のコイル２２２のインダクタと他方のコイル２２４のインダクタは、チップアンテナ１４と分針８５とが交差する面積が大きい場合のキャパシタの変動分に対応すると共に、一方のコイル２２２のインダクタは、チップアンテナ１４と分針８５とが交差する面積が小さい場合のキャパシタの変動分に対応するように設定されている。また、これらのスイッチ２２６，２２８は、第１分針検出部７４Ａおよび第２分針検出部７４Ｂによる分針８５の検出状態に応じて、インダクタ指示部６５から断続が指示され、この結果、チップアンテナ１４のインピーダンス変動は抑制される。
【００３０】
図５は、分針８５の位置とインダクタ可変部２０のスイッチ２２６，２２８の断続状態を示す。この中で、図５（ａ）は、スイッチ２２６の断続であり、図５（ｂ）は、スイッチ２２８の断続を示す。これら図５（ａ）および（ｂ）が示すように、分針８５が「１０．５」の位置に来た時、第１分針検出部７４Ａが分針８５を検出し、スイッチ２２６およびスイッチ２２８がそれぞれ接続状態に遷移して、一方のコイル２２２および他方のコイル２２４は短絡される。そして、分針８５が「１１」の位置に来た時、第２分針検出部７４Ｂが分針８５を検出し、スイッチ２２８のみが非接続状態に遷移し、他方のコイル２２４の短絡が解除される。更に、分針８５が「１」の位置に来た時、第２分針検出部７４Ｂが分針８５を検出できなくなり、スイッチ２２８が再び接続状態に遷移して、一方のコイル２２２および他方のコイル２２４は共に短絡される。そして、分針８５が「１．５」の位置に来た時、第１分針検出部７４Ａが分針８５を検出できなくなり、スイッチ２２６およびスイッチ２２８は、それぞれ非接続状態に遷移し、一方のコイル２２２および他方のコイル２２４の短絡は解除される。
【００３１】
以上述べた実施形態２によれば、分針８５とチップアンテナ１４との位置関係を３段階で検出し、それぞれの段階に応じてインダクタを調整するため、チップアンテナ１４のインピーダンスの変動を精度よく抑えることができる。
【００３２】
本発明の実施形態について、図面を参照して説明したが、具体的な構成は、この実施形態に限られるものではなく、本発明の要旨を逸脱しない範囲の設計変更等も含まれる。例えば、実施形態２において、分針８５とチップアンテナ１４との位置関係を３段階で検出したが、４段階以上で検出しても良い。
【図面の簡単な説明】
【００３３】
【図１】本発明の実施形態１に係る電波時計の機能構成を示すブロック図。
【図２】本発明の実施形態１に係る電波時計の外観図。
【図３】本発明の実施形態１に係る電波時計による処理の流れを説明するフローチャート。
【図４】（ａ）は、本発明の実施形態２に係る電波時計の外観図であり、（ｂ）は、本発明の実施形態２に係る電波時計の機能構成の概略を示すブロック図。
【図５】（ａ）は、分針の位置と一方のスイッチの断続状態を示し、（ｂ）は、分針の位置と他方のスイッチの断続状態を示す図。
【符号の説明】
【００３４】
１…電波時計、１０…整合部、１２…アンテナ部、１４…チップアンテナ、２０…インダクタ可変部、２２Ａ，２２Ｂ，２２Ｃ，２２Ｄ…コイル、２４，２６，２８…スイッチ、３０…受信処理部、４０…ＲＦ処理部、４２…ローノイズアンプ、４４…周波数変換部、４５…局部発振信号生成部、４６…ＩＦバンドパスフィルタ、４８…ＩＦアンプ、５０…ベースバンド処理部、５２…ベースバンド復調部、５４…時刻情報抽出部、６０…制御部、６５…インダクタ指示部、７０…指針位置検出部、７２…時針検出部、７４…分針検出部、７４Ａ…第１分針検出部、７４Ｂ…第２分針検出部、７６…秒針検出部、８０…ムーブメント、８２…時針駆動部、８３…時針、８４…分針駆動部、８５…分針、８６…秒針駆動部、８７…秒針、８８…文字板、２２２…一方のコイル、２２４…他方のコイル、２２６，２２８…スイッチ。
【図１】
2009121863.tif 000003
【図２】
2009121863.tif 000004
【図３】
2009121863.tif 000005
【図４】
2009121863.tif 000006
【図５】
2009121863.tif 000007